(57)【要約】【課題】見映えを良くしながら電装部を利用可能とすることができる天板付什器を提供する。【解決手段】天板２と、天板２を支持する支持体と、電装部９０と、を備え、天板２は、表面が天板２の上面を構成する表層１１と、表層１１を支持するとともに、表層１１の裏面から下方まで貫通する貫通孔２２Ａが形成された基層１２と、を有し、電装部９０は、表層１１の裏面に、かつ少なくとも一部が貫通孔２２Ａに臨むように配置された導電体９１と、貫通孔２２Ａ内に配置され、導電体９１に電気的に接続された電極接続部（導電体接続部）３０と、を有し、電極接続部３０は、基層１２に固定されたセンサ基部（基部）３１と、電極２１に接触する接点部３３と、接点部３３を導電体９１に向けて付勢する付勢部３５と、を有する。【選択図】図３
2019080849.tif 000002
【特許請求の範囲】
【請求項１】
天板と、前記天板を支持する支持体と、
電装部と、を備え、
前記天板は、表面が前記天板の上面を構成する表層と、
前記表層を支持するとともに、前記表層の裏面から下方まで貫通する貫通孔が形成された基層と、を有し、
前記電装部は、前記表層の裏面に、かつ少なくとも一部が前記貫通孔に臨むように配置された導電体と、
前記貫通孔内に配置され、前記導電体に電気的に接続された導電体接続部と、を有し、
前記導電体接続部は、前記基層に固定された基部と、
前記導電体に接触する接点部と、
前記接点部を前記導電体に向けて付勢する付勢部と、を有する天板付什器。
【請求項２】
請求項１に記載の天板付什器において、
前記電装部は、操作を検出するセンサを含み、
前記センサは、前記導電体として、前記表層の裏面に配置され、かつ前記天板上での操作を検出する電極を備えている天板付什器。
【請求項３】
請求項２に記載の天板付什器において、
前記貫通孔内に配置され、かつ前記センサで操作を検出した場合に起振し、振動を前記表層に伝達可能な振動モータを備える天板付什器。
【請求項４】
前記請求項１から３のいずれか１項に記載の天板付什器において、
前記電装部は、前記導電体として、外部からの入出力信号を伝達する信号伝達部材、電力を供給する電力供給部材、および電気的なグラウンドをとるグラウンド部材のうち、少なくともいずれか１つを備えている天板付什器。
【請求項５】
請求項１から４のいずれか１項に記載の天板付什器において、
前記導電体接続部は、前記基部に取り付けられた基板と、
前記基板に取り付けられたバネ部材と、を有し、
前記バネ部材は、前記付勢部を構成するとともに、上端が前記導電体に接触して前記接点部を構成する天板付什器。
【請求項６】
請求項１から５のいずれか１項に記載の天板付什器において、
前記導電体接続部は、前記基部と前記導電体との間に配置され、かつ前記接点部が設けられた基板を有し、
前記付勢部は前記基部に支持されて、前記基板を前記導電体に向けて付勢している天板付什器。
【発明の詳細な説明】
【技術分野】
【０００１】
本発明は、天板付什器に関する。
【背景技術】
【０００２】
従来、天板と、天板を支持する支持体と、を備えたデスク装置（天板付什器）が知られている。
このようなデスク装置として、例えば、昇降機能を備えたデスク装置が知られている。
天板を昇降させる技術として、たとえば、ガススプリングを用いる方法やギアを用いる方法（特許文献１，２）などが知られている。
特許文献１，２に開示された技術は、構造が簡易であるのでコストを安く抑えることができる。しかしながら、特許文献１，２に開示された技術では、力の弱い使用者にとっては操作しにくい場合があったり、天板の高さによっては天板を昇降させるために無理な姿勢を強いたりすることがある。
また、天板付什器が備えるワイヤーを操作部により操作して、ガススプリングのストッパ等をロック又は解除し、天板を昇降動作させる技術が知られている（特許文献３，４，５）。
また、天板を昇降させる際の操作性を向上させるために、電動式の駆動ユニットを用いて天板を昇降させる技術が知られている（特許文献６）。特許文献３，４，５，６に開示された技術では、天板近傍に配される操作部やスイッチ（以下、操作部等という）を用いて使用者が天板の昇降操作をすることができる。
【先行技術文献】
【特許文献】
【０００３】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特許第５７１８５０３号公報
【特許文献６】特開２０１６−８６９０９号公報
【発明の概要】
【発明が解決しようとする課題】
【０００４】
しかしながら、特許文献３，４，５，６に開示された技術は、操作部等を操作して天板を昇降させるようになっている。この場合には操作部等と接続されたワイヤーや配線を、天板の裏側から引き出すことがあり、ワイヤーや配線が煩雑になることで見映えが悪くなることがあった。
【０００５】
本発明は、上述した事情に鑑みてなされたものであって、見映えを良くしながら電装部を利用可能な天板付什器を提供することを目的とする。
【課題を解決するための手段】
【０００６】
本発明の一態様は、天板と、前記天板を支持する支持体と、電装部と、を備え、前記天板は、表面が前記天板の上面を構成する表層と、前記表層を支持するとともに、前記表層の裏面から下方まで貫通する貫通孔が形成された基層と、を有し、前記電装部は、前記表層の裏面に、かつ少なくとも一部が前記貫通孔に臨むように配置された導電体と、前記貫通孔内に配置され、前記導電体に電気的に接続された導電体接続部と、を有し、前記導電体接続部は、前記基層に固定された基部と、前記導電体に接触する接点部と、前記接点部を前記導電体に向けて付勢する付勢部と、を有する天板付什器である。
【０００７】
このように構成された天板付什器では、電装部が、表層の裏面に配置された導電体と、基層に形成された貫通孔内に配置された導電体接続部と、を備えている。このため、電装部を導通させるための部材を外部から視認しにくくすることができる。これにより、配線等を外部に配置して接続する構成と比較して、見映えを良くしながら電装部を利用可能とすることができる。
【０００８】
また、電極に接続された導電体接続部が、導電体に接触する接点部を導電体に向けて付勢する付勢部を有しているので、常に接点部が導電体と接触している状態を維持することが可能になり、導電体と接点部との導通状態を常に良好にすることができる。
【０００９】
また、本発明に係る天板付什器では、前記電装部は、操作を検出するセンサを含み、前記センサは、前記導電体として、前記表層の裏面に配置され、かつ前記天板上での操作を検出する電極を備えてもよい。
【００１０】
このように構成された天板付什器では、操作を検出するセンサが、表層の裏面に配置されているので、使用者が天板上で行う操作を電極が検出することができる。
このため、使用者が天板を利用しながら天板上で所望の操作を行うことができる。
【００１１】
また、本発明に係る天板付什器では、前記貫通孔内に配置され、かつ前記センサで操作を検出した場合に起振し、振動を前記表層に伝達可能な振動モータを備えてもよい。
このように構成された天板付什器では、操作を検出した際に起振し、振動を表層に伝達可能な振動モータが、貫通孔内に配置されている。このため、振動モータからの振動が使用者に伝わることで、センサが操作を検出したことを使用者にフィードバックさせることが可能になり、使用者の操作性を向上させることができる。
【００１２】
また、本発明に係る天板付什器では、前記電装部は、前記導電体として、外部からの入出力信号を伝達する信号伝達部材、電力を供給する電力供給部材、および電気的なグラウンドをとるグラウンド部材のうち、少なくともいずれか１つを備えてもよい。
【００１３】
このように構成された天板付什器では、電装部が導電体として、信号伝達部材、電力供給部材、およびグラウンド部材のうちの少なくともいずれか１つを備えているので、天板付什器がこれらの機能部材を備えながら、天板付什器の見映えを良くすることができる。
【００１４】
また、本発明に係る天板付什器では、前記導電体接続部は、前記基部に取り付けられた基板と、前記基板に取り付けられたバネ部材と、を有し、前記バネ部材は、前記付勢部を構成するとともに、上端が前記導電体に接触して前記接点部を構成してもよい。
このように構成された天板付什器では、バネ部材が付勢部でありながら、その上端部が接点部となることで、部品点数を削減し、導電体接続部を簡易な構成とすることができる。
【００１５】
また、本発明に係る天板付什器では、前記導電体接続部は、前記基部と前記導電体との間に配置され、かつ前記接点部が設けられた基板を有し、前記付勢部は前記基部に支持されて、前記基板を前記導電体に向けて付勢してもよい。
このように構成された天板付什器では、付勢部が基板を導電体に向けて付勢しているので、基板と導電体との距離を短くすることが可能になり、導電体からの信号を、確実に基板に伝達することができる。
【発明の効果】
【００１６】
本発明に係る什器によれば、見映えを良くしながら電装部を利用可能とすることができる。
【図面の簡単な説明】
【００１７】
【図１】本発明の第１実施形態に係る天板付什器の斜視図である。
【図２】図１に示す天板の分解斜視図である。
【図３】図２に示す天板のＡ−Ａ線矢視断面図である。
【図４】本発明の第２実施形態に係る天板付什器における天板の縦断面図である。
【図５】図４に示す電極接続部の変形例を示す縦断面図である。
【図６】本発明の第３実施形態に係る天板付什器における天板の斜視図である。
【発明を実施するための形態】
【００１８】
（第１実施形態）
本発明の第１実施形態について、図１から図３を参照して説明する。図１は、本実施形態に係るデスク装置１の斜視図である。図２は、図１に示す天板２の分解斜視図である。図３は、図２に示す天板２のＡ−Ａ線矢視断面図である。本実施形態では、天板付什器の一例として、デスク装置１を説明している。なお、天板付什器としてはデスク装置１に限られず、例えば天板付の棚等であってもよい。
以下の説明において、デスク装置１の使用者から見た前後方向をデスク装置１の前後方向Ｘ、使用者から見た左右方向をデスク装置１の左右方向Ｙという。また、使用者から見た上下方向をデスク装置１の上下方向Ｚという。
【００１９】
図１に示すように、本実施形態に係るデスク装置は、天板２と、天板２を支持する支持体５と、電装部９０と、を備えている。本実施形態では、電装部９０として、天板２上での操作を検出するセンサ９（図３参照）を備えている。天板２は上面視で矩形状をなし、上面３と下面４とを有する。
支持体５は、梁部６と、軸部７と、脚部８と、昇降駆動部１０と、制御部１５と、を有している。梁部６は、天板２の前後方向Ｘに延びている。梁部６は、天板２の左右端に１つずつ配されている。
【００２０】
軸部７は、梁部６を介して天板２に接続されている。軸部７は、天板２の下面４から垂直に下方へ延びている。
脚部８は、床面に接触してデスク装置１を支持するとともに、昇降駆動部１０を介して軸部７に連結されている。本実施形態では、脚部８は、床面と平行に延びる水平部８ａと、軸部７と同軸をなして垂直に延びる第一筒部８ｂおよび第二筒部８ｃと、を有している。
【００２１】
昇降駆動部１０は、軸部７、第一筒部８ｂ、および第二筒部８ｃが延びる上下方向Ｚに沿って、これらを相対移動させるためのモータとギア（不図示）を有している。昇降駆動部１０は、制御部１５に電気的に接続されている。昇降駆動部１０が動作することによって、支持体５が上下方向Ｚに伸縮し、天板２が昇降する。すなわち、昇降駆動部１０および制御部１５が、後述する電極２１（導電体９１）における検出結果に基づいて、天板２を昇降させる昇降機構を構成している。
【００２２】
そして本実施形態では、図２に示すように、天板２は、表面が天板２の上面３を構成する表層１１と、表層１１を支持するとともに、表層１１の裏面から下方まで貫通する貫通孔２２Ａが形成された基層１２と、を有している。表層１１および基層１２は上面視で矩形状をなし、互いに同等の形状、大きさをなしている。
【００２３】
表層１１は、上方に位置し、表面が天板２の上面を構成する化粧材２０と、化粧材２０の下方に位置するセンサシート２３と、により構成されている。化粧材２０およびセンサシート２３は、上面視で矩形状をなし、互いに同等の形状、大きさをなしている。
化粧材２０における上方を向く表面には、木目等の意匠性を備えた模様が施されている。化粧材２０には、例えばメラミン化粧材を採用することができる。なお、表層１１の層構造については、これに限るものではない。例えば化粧材２０とセンサシート２３との間にクラフト紙で形成されたコアシートを介在させてもよい。
【００２４】
センサシート２３は、例えば紙材料により形成されている。センサシート２３の形状および大きさは、化粧材２０と同等となっている。化粧材２０とセンサシート２３との間には、接着剤（図示せず）が介在している。接着剤により、化粧材２０、およびセンサシート２３が固着されている。
【００２５】
基層１２は、剛性を有する基材２２と、基材２２の下方に位置する裏面材２４と、により構成されている。
基材２２は、例えば非金属材料等により形成されている。裏面材２４は上面視で基材２２と同等の形状、大きさをなしている。なお、裏面材２４は設けられなくてもよい。
センサシート２３と基材２２との間には、接着剤（図示せず）が介在している。接着剤により、センサシート２３および基材２２が固着されている。なお、基層１２の層構造については、これに限るものではない。
【００２６】
基層１２の貫通孔２２Ａは、基材２２に形成されている。貫通孔２２Ａは裏面材２４を基材２２とともに貫いている。図示の例では、左右方向Ｙにおける一方側の端部に、前後方向Ｘに列をなすように、電極２１と対応して複数の貫通孔２２Ａが配置されている。貫通孔２２Ａは上面視で円形状を呈する。なお、貫通孔２２Ａの位置、数量、および形状は任意に変更することができる。
【００２７】
図３に示すように、センサ９（電装部９０）は、導電体９１として、表層１１の裏面に配置され、かつ天板２上での操作を検出する電極２１を備えている。またセンサ９は、貫通孔２２Ａ内に配置され、電極２１に電気的に接続された電極接続部（導電体接続部）３０を有している。
電極２１は、表層１１におけるセンサシート２３の裏面に配置され、表層１１を介して天板２上での操作を検出可能となっている。本実施形態では、電極２１は、例えばナノ銀インク等の導電性材料がセンサシート２３にプリントされることで形成されている。なお、電極２１は板状やフィルム状に形成され、センサシート２３に接着等により貼付されてもよい。
【００２８】
図２に示すように、電極２１は、少なくとも一部が貫通孔２２Ａに臨むように配置されている。電極２１は上面視で一対の２辺が前後方向Ｘに延びるとともに、残り一対の２辺が左右方向Ｙに延びる矩形状を呈する。電極２１の左右方向Ｙの大きさは、前後方向Ｘの大きさよりも大きくなっている。
【００２９】
電極２１は、センサシート２３に複数設けられ、互いに同等の形状、および大きさをなしている。複数の電極２１は、前後方向Ｘに間隔をあけて配置されている。複数の電極２１それぞれにおける左右方向Ｙの端部と、貫通孔２２Ａと、の上面視における位置が互いに同等となっている。
【００３０】
図３に示すように、電極接続部３０は、基層１２に固定されたセンサ基部（基部）３１と、センサ基部３１に取り付けられたセンサ基板（基板）３２と、電極２１に接触し、センサ基板３２と電極２１とを電気的に接続する接点部３３と、センサ基板３２に取り付けられたバネ部材３４と、を有している。
【００３１】
センサ基部３１は、円柱状をなしている。センサ基部３１の下端部には、径方向の外側に向けて突出するフランジ部３１Ａが形成されている。センサ基部３１は貫通孔２２Ａ内に下方から挿入されている。センサ基部３１のフランジ部３１Ａが、裏面材２４における下方を向く下面に固定されている。
【００３２】
センサ基板３２には、電極２１に対して行った操作による静電容量の変化に基づいて、操作内容を認識するセンサが採用されている。接点部３３は、センサ基板３２の上面と、電極２１の下面と、の間に配置されている。
バネ部材３４は、板バネであり、接点部３３を電極に向けて付勢する付勢部３５を構成している。また、バネ部材３４の上端は、接点部３３を構成している。このため、センサ基板３２と電極２１との間の寸法がばらつく場合であっても、確実にセンサ基板３２と電極２１とを電気的に接続することができる。また、センサ基板３２は、制御部１５と電気的に接続されている。
【００３３】
次に、本実施形態に係るデスク装置１の操作方法について説明する。
使用者がデスク装置１の天板２を昇降させる際には、天板２の上面のうち、電極２１の上方に位置する部分で所定の操作を行う。所定の操作としては、例えば天板２の上面に接触させた指を左右方向Ｙの一方側にスライドさせると天板２を昇降させ、他方側にスライドさせると天板２を下降させるというように、任意に設定しておくことができる。
【００３４】
電極２１が検出した操作内容を、接点部３３を介してセンサ基板３２が認識すると、センサ基板３２は、制御部１５に操作内容を伝達する。そして、制御部１５は昇降駆動部１０に入力する指令値を生成した後に、昇降駆動部１０に指令値を入力する。昇降駆動部１０が、入力された指令値に基づいて駆動することで、デスク装置１の天板２が昇降、又は下降する。
【００３５】
以上説明したように、本実施形態に係るデスク装置１によれば、電装部９０が、表層１１の裏面に配置された導電体９１と、基層１２に形成された貫通孔２２Ａ内に配置された導電体接続部３０と、を備えている。このため、電装部９０を導通させるための部材を外部から視認しにくくすることができる。これにより、配線等を外部に配置して接続する構成と比較して、見映えを良くしながら電装部９０を利用可能とすることができる。
【００３６】
また、電極２１に接続された電極接続部３０が、電極２１に接触する接点部３３を電極２１に向けて付勢する付勢部３５を有している。このため、常に接点部３３が電極２１と接触している状態を維持することが可能になり、電極２１と接点部３３との導通状態を常に良好にすることができる。
【００３７】
また、操作を検出するセンサ９が、表層１１の裏面に配置されているので、使用者が天板２上で行う操作を電極２１が検出することができる。
このため、使用者が天板２を利用しながら天板２上で所望の操作を行うことができる。
また、バネ部材３４が、接点部３３を電極に向けて付勢する付勢部３５でありながら、その上端部が接点部３３となることで、部品点数を削減し、電極接続部３０を簡易な構成とすることができる。
【００３８】
また、電極２１が、化粧材２０と基材２２との間に配置されているので、電極２１と、天板２上で操作を行う使用者の指と、の距離を短くすることが可能になり、使用者の指が接触した際に、電極２１において静電容量の変化を正確に検出しやすくすることができる。
また、電極２１が、センサシート２３に印刷されているので、電極２１の形状を自由に変更することができるとともに、金型を用いて製造するような構成と比較して、小量ロット毎に生産することが可能になり、製造に際しての初期費用を抑えることができる。
【００３９】
また、基材２２に貫通孔２２Ａが形成され、電極２１の少なくとも一部が貫通孔２２Ａと上面視で貫通孔２２Ａと同等の位置に位置している。このため、電極接続部３０が内部に配置される貫通孔２２Ａの上面視における大きさを小さくしながら、電極２１の上面視における大きさを大きくすることができる。これにより、貫通孔２２Ａを小さくして天板２の強度を確保しながら、電極２１を大きくして、天板２上のうち、使用者が操作を行える範囲を広くすることができる。
【００４０】
（第２実施形態）
次に、本発明の第２実施形態について、図４を参照して説明する。図４は、本発明の第２実施形態に係るデスク装置１Ｂにおける天板２Ｂの縦断面図である。なお、以下の各実施形態において、第１実施形態と同一の構成については同一の符号を付してその説明は省略し、異なる点についてのみ説明する。
【００４１】
図４に示すように、本実施形態に係るデスク装置１Ｂの天板２Ｂでは、電極接続部３０Ｂは、センサ基部３１と電極２１との間に配置され、接点部３３Ｂが設けられたセンサ基板３２Ｂを有している。接点部３３Ｂはセンサ基板３２Ｂの上方に位置し、上面視でセンサ基板３２Ｂと同等の形状、大きさをなしている。
【００４２】
また、本実施形態では、付勢部３５Ｂはセンサ基部３１に支持されて、センサ基板３２Ｂを電極２１に向けて付勢している。付勢部３５Ｂはコイルバネである。付勢部３５Ｂは一対配置され、センサ基部３１における上方を向く上面と、センサ基板３２Ｂの下面とに接続されている。
【００４３】
また、本実施形態に係るデスク装置１Ｂは、貫通孔２２Ａ内に配置され、センサ９で天板２上での操作を検出した場合に起振し、振動を表層１１に伝達可能な振動モータ４０を備えている。
振動モータ４０は、センサ基板３２Ｂの下面に取付けられている。振動モータ４０が振動することで、センサ基板３２Ｂが接点部３３Ｂとともに、付勢部３５Ｂにより電極２１に向けて付勢されたまま振動する。
【００４４】
本実施形態に係るデスク装置１Ｂでは、使用者が天板２上で操作したことをセンサ９が検出すると、振動モータ４０が振動する。これにより、表層１１が部分的に振動することで、センサ９が操作内容を検出したことを、使用者が知ることができる。
【００４５】
以上説明したように、本実施形態に係るデスク装置１Ｂでは、付勢部３５Ｂがセンサ基板３２Ｂを電極２１に向けて付勢している。このため、センサ基板３２Ｂと電極２１との距離を短くすることが可能になり、電極２１が検出した天板２上での操作内容を、確実にセンサ基板３２Ｂに伝達することができる。
また、天板２上での操作を検出した際に起振し、振動を表層１１に伝達可能な振動モータ４０が、貫通孔２２Ａ内に配置されている。このため、振動モータ４０からの振動が使用者に伝わることで、センサ９が操作を検出したことを使用者にフィードバックさせることが可能になり、使用者の操作性を向上させることができる。
【００４６】
次に、第２実施形態に係る電極接続部３０Ｂの変形例について、図５を参照して説明する。図５は、図４に示す電極接続部３０Ｂの変形例を示す縦断面図である。
図５に示すように、本変形例に係る電極接続部３０Ｃでは、付勢部３５Ｃが基層１２の下方に配置されている。ここで、センサ基部３１のフランジ部３１Ａは、裏面材２４における下方を向く下面に固定手段（不図示）によって固定されている。
そして付勢部３５Ｃは、基層１２における裏面材２４の下面と、センサ基部３１におけるフランジ部３１Ａの上面と、の間に配置され、センサ基部３１を上方に付勢している。
【００４７】
（第３実施形態）
次に、本発明の第３実施形態について、図６を参照して説明する。図６は、本発明の第３実施形態に係る天板付什器１Ｃにおける天板２Ｃの斜視図である。
図６に示すように、電装部９０は、導電体９１として、外部からの入出力信号を伝達する信号伝達部材２１Ｂ、電力を供給する電力供給部材２１Ｃ、および電気的なグラウンドをとるグラウンド部材２１Ｄのうち、少なくともいずれか１つを備えている。
【００４８】
図示の例では、電装部９０は、信号伝達部材２１Ｂ、電力供給部材２１Ｃ、およびグラウンド部材２１Ｄを全て備えている。貫通孔２２Ａ内には複数のバネ部材３４が配置され、信号伝達部材２１Ｂ、電力供給部材２１Ｃ、およびグラウンド部材２１Ｄは、バネ部材３４の上端部に構成された接点部３３と、各別に接続されている。
【００４９】
また本実施形態では、貫通孔２２Ａが基層１２に２つ形成されている。２つの貫通孔２２Ａのうちの一方は、使用者と近接する前後方向Ｘにおける後端部側に配置され、他方は前後方向Ｘにおける中央部側に配置されている。
前後方向Ｘにおける中央部側に位置する貫通孔２２Ａ内に配置されたバネ部材３４のうち、信号伝達部材２１Ｂと接続されたものを制御部１５と導通してもよい。また、電力供給部材２１Ｃと接続されたバネ部材３４を、内部電源用のマイコンや、外部電源と導通してもよい。また、グラウンド部材２１Ｄと接続されたバネ部材３４を、アース線と導通してもよい。このように配線を接続することで、使用者の足元から離れた位置に、配線を配置することができる。
【００５０】
以上説明したように、本実施形態に係る天板付什器１Ｃでは、電装部９０が、導電体９１として、信号伝達部材２１Ｂ、電力供給部材２１Ｃ、およびグラウンド部材２１Ｄのうちの少なくともいずれか１つを備えている。このため、天板付什器１Ｃがこれらの機能部材を備えながら、天板付什器１Ｃの見映えを良くすることができる。
【００５１】
なお、本発明の技術的範囲は前記実施形態に限定されるものではなく、本発明の趣旨を逸脱しない範囲において種々の変更を加えることが可能である。
【００５２】
例えば、上記実施形態においては、センサシート２３が上面視で基材２２と同等の形状、および大きさをなしている構成を示したが、このような態様に限られない。例えばセンサシート２３は、上面視で基材２２に形成された貫通孔２２Ａの周囲のみを覆うような形状、および大きさであってもよい。
【００５３】
また、上記実施形態においては、デスク装置１が昇降駆動部１０を備え、使用者が行う天板２上での操作が、昇降駆動部１０により天板２を昇降させる操作である構成を示したが、このような態様に限られない。例えばデスク装置１が照明器具を備え、使用者が照明器具の点灯又は消灯を、天板２上で操作するような態様であってもよい。
【００５４】
また、上記第１実施形態においては、バネ部材３４として板バネを採用した構成を示したが、このような態様に限られない。例えばバネ部材３４として導電性ゴムを採用してもよい。
また、上記第２実施形態においては、付勢部３５Ｂがコイルバネである構成を示したが、このような態様に限られない。例えばセンサ基板３２が、天板２の基層１２に対してバネワッシャを介して固定されていて、このバネワッシャが付勢部３５Ｂを構成していてもよい。
【００５５】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５６】
１、１Ｂ  デスク装置
２、２Ｂ  天板
５  支持体
９  センサ
１１  表層
１２  基層
２１  電極
２１Ｂ  信号伝達部材
２１Ｃ  電力供給部材
２１Ｄ  グラウンド部材
２２  基材
２２Ａ  貫通孔
３０  電極接続部
３１  センサ基部
３２  センサ基板
３３、３３Ｂ  接点部
３４  バネ部材
３５、３５Ｂ  付勢部
４０  振動モータ
９０  電装部
９１  導電体
【図１】
2019080849.tif 000003
【図２】
2019080849.tif 000004
【図３】
2019080849.tif 000005
【図４】
2019080849.tif 000006
【図５】
2019080849.tif 000007
【図６】
2019080849.tif 000008